(57)【要約】【課題】複雑な構造の梱包箱を用いることなく梱包サイズを小さくすることが出来る電子機器を提供する。【解決手段】本発明に係る電子機器は、機器本体２と、該機器本体２を自立状態に支持するスタンド３とを具え、スタンド３は、ベース部31と、該ベース部31に立設されたアーム部32とから構成され、機器本体２には、前記スタンド３のアーム部32を着脱可能に取り付けるためのスタンド取り付け部が設けられている。ここで、機器本体２の背面には、前記スタンド取り付け部から離れた位置に、機器本体２から取り外されたスタンド３のアーム部32を収容することが可能な凹部24が形成されている。【選択図】図２
2013016964.tif 000002
【特許請求の範囲】
【請求項１】
機器本体と、該機器本体を自立状態に支持するスタンドとを具え、スタンドは、ベース部と、該ベース部に立設されたアーム部とから構成され、機器本体には、前記スタンドのアーム部を着脱可能に取り付けるためのスタンド取り付け部が設けられている電子機器において、
機器本体の背面には、前記スタンド取り付け部から離れた位置に、機器本体から取り外されたスタンドのアーム部を収容することが可能な凹部が形成されていることを特徴とする電子機器。
【請求項２】
前記凹部は、機器本体から取り外されたスタンドのアーム部が収容された状態で、該スタンドのベース部の全体若しくは大部分が機器本体の背面に重なることとなる位置に設けられている請求項１に記載の電子機器。
【請求項３】
機器本体は、互いに接合されたフロントキャビネットとバックキャビネットを具え、該バックキャビネットに、前記凹部が形成されている請求項１又は請求項２に記載の電子機器。
【発明の詳細な説明】
【技術分野】
【０００１】
本発明は、テレビジョン受像機の如く、機器本体をスタンドによって自立状態に支持することが可能な電子機器に関するものである。
【背景技術】
【０００２】
従来、薄型のテレビジョン受像機においては、例えば液晶ディスプレイを具えた本体をスタンドによって自立状態に支持することが可能となっており、この様なテレビジョン受像機を製造工場から市場へ出荷する際に、梱包サイズを小さくして輸送効率を向上させるべく、梱包方法や梱包箱に工夫が為されている。
【０００３】
例えば、本体の収容箱とスタンドの収容箱から逆Ｔ字状の梱包箱を構成し、複数の梱包箱を積載するときには、隣接する一対の梱包箱は互いに天地が逆転した姿勢で接触させることが提案されている(特許文献１)。
【先行技術文献】
【特許文献】
【０００４】
【特許文献１】特開２０１１−３１８９１号公報
【発明の概要】
【発明が解決しようとする課題】
【０００５】
しかしながら、上述の如く本体の収容箱とスタンドの収容箱から逆Ｔ字状の梱包箱を構成する場合、梱包箱の構造が複雑となるばかりでなく、梱包作業も繁雑となる問題がある。
そこで本発明の目的は、複雑な構造の梱包箱を用いることなく梱包サイズを小さくすることが出来る電子機器を提供することである。
【課題を解決するための手段】
【０００６】
本発明に係る電子機器は、機器本体(２)と、該機器本体(２)を自立状態に支持するスタンド(３)とを具え、スタンド(３)は、ベース部(31)と、該ベース部(31)に立設されたアーム部(32)とから構成され、機器本体(２)には、前記スタンド(３)のアーム部(32)を着脱可能に取り付けるためのスタンド取り付け部(23)が設けられている。
ここで、機器本体(２)の背面には、前記スタンド取り付け部(23)から離れた位置に、機器本体(２)から取り外されたスタンド(３)のアーム部(32)を収容することが可能な凹部(24)が形成されている。
【０００７】
上記本発明の電子機器によれば、機器使用時には、機器本体(２)のスタンド取り付け部(23)に、スタンド(３)のアーム部(32)を取り付け、スタンド(３)のベース部(31)を机上に設置する。これによって、機器本体(２)を自立状態に支持することが出来る。
製造工場から市場への出荷時には、機器本体(２)からスタンド(３)を取り外し、機器本体(２)の凹部(24)にスタンド(３)のアーム部(32)を収容する。これによって、スタンド(３)のベース部(31)が機器本体(２)の背面に対向した状態で、機器本体(２)にスタンド(３)が添う様に配置されることになる。
この状態で、機器本体(２)及びスタンド(３)を梱包する。
【０００８】
具体的態様において、前記凹部(24)は、機器本体(２)から取り外されたスタンド(３)のアーム部(32)が収容された状態で、該スタンド(３)のベース部(31)の全体若しくは大部分が機器本体(２)の背面に重なることとなる位置に設けられている。
【０００９】
該具体的態様によれば、機器本体(２)の凹部(24)にスタンド(３)のアーム部(32)を収容することによって、スタンド(３)のベース部(31)の全体若しくは大部分が機器本体(２)の背面に重なることとなるので、機器本体(２)の背面領域からスタンド(３)のベース部(31)が大きく突出することはない。従って、この状態で機器本体(２)とスタンド(３)をコンパクトに梱包することが出来る。
【００１０】
更に具体的な態様において、機器本体(２)は、互いに接合されたフロントキャビネット(21)とバックキャビネット(22)を具え、該バックキャビネット(22)に、前記凹部(24)が形成されている。
【００１１】
該具体的態様によれば、バックキャビネット(22)の樹脂成型によって、凹部(24)をバックキャビネット(22)の一部として成形することが出来る。
【発明の効果】
【００１２】
本発明に係る電子機器によれば、スタンド(３)のアーム部(32)が機器本体(２)の凹部(24)に収容されて、ベース部(31)が機器本体(２)の背面に沿う様に配置されることによって、機器本体(２)とスタンド(３)の全体形状が大きな突出部の無い略直方体状となるので、複雑な構造の梱包箱を用いることなく梱包サイズを小さくすることが出来る。
【図面の簡単な説明】
【００１３】
【図１】図１は、本発明の一実施形態であるテレビジョン受像機の組立状態の斜視図である。
【図２】図２は、該テレビジョン受像機を背面側から見た斜視図である。
【図３】図３は、該テレビジョン受像機の本体からスタンドを取り外した状態の背面図である。
【図４】図４は、同上状態の斜視図である。
【図５】図５は、梱包時の本体とスタンドを背面側から見た斜視図である。
【図６】図６は、本体とスタンドの梱包状態を示す背面図である。
【発明を実施するための形態】
【００１４】
以下、本発明をテレビジョン受像機に実施した形態につき、図面に沿って具体的に説明する。
図１に示す如く、本発明の一実施形態であるテレビジョン受像機(１)は、画面(４)を具えた本体(２)と、該本体(２)を自立状態で支持するスタンド(３)から構成されている。
【００１５】
テレビジョン受像機(１)の本体(２)は、図２に示す如く互いに接合されたフロントキャビネット(21)とバックキャビネット(22)を具え、フロントキャビネット(21)には、図１に示す如く画面(４)を露出させるための前面開口(20)が形成されている。
【００１６】
スタンド(３)は、平板状のベース部(31)と、該ベース部(31)の上面に立設された直方体状のアーム部(32)とを具え、本体(２)のバックキャビネット(22)には、図３に示す如く、スタンド(３)のアーム部(32)を取り付けるためのスタンド取り付け部(23)が凹設され、スタンド(３)のアーム部(32)は、バックキャビネット(22)のスタンド取り付け部(23)に係合した状態で、複数本のビス(５)(５)を用いてバックキャビネット(22)に締結される。
【００１７】
又、本体(２)のバックキャビネット(22)には、図３及び図４に示す如く、スタンド取り付け部(23)よりも上方位置に、スタンド取り付け部(23)から離間して、スタンド(３)のアーム部(32)を収容することが可能な凹部(24)が形成されている。
尚、本体(２)に収容される複数の電子部品は、凹部(24)の形成を考慮してレイアウトされている。
【００１８】
上記テレビジョン受像機(１)によれば、図１及び図２に示す如く本体(２)にスタンド(３)を取り付けることによって、本体(２)を自立状態で支持することが出来る。
【００１９】
又、上記テレビジョン受像機(１)の工場出荷時には、図３に示す如く本体(２)からスタンド(３)を取り外し、図４及び図５に示す如く、スタンド(３)のアーム部(32)を本体(２)の凹部(24)に収容することによって、スタンド(３)のベース部(31)を本体(２)のバックキャビネット(22)の背面に添わせる。
そして、図６に示す如く、テレビジョン受像機(１)の４つの角部に緩衝材(６)を取り付けた状態で、テレビジョン受像機(１)を梱包箱(７)内に収容する。
【００２０】
この梱包状態においては、図５及び図６に示す様に、スタンド(３)のベース部(31)は、その殆ど全体が本体(２)のバックキャビネット(22)の背面領域に重なって、バックキャビネット(22)の外側へ突出する部分は極僅かである。
又、スタンド(３)のベース部(31)は、本体(２)のバックキャビネット(22)の背面に添って設置されるので、バックキャビネット(22)の背面から僅かに出っ張るに過ぎない。
【００２１】
図６の如く４つの角部に緩衝材(６)を取り付けた状態で梱包箱(７)内に収容されている本体(２)の周囲には、必然的に空間が形成されることとなるが、この空間にスタンド(３)のベース部(31)を納めることが可能である。
【００２２】
従って、梱包箱(７)のサイズは、本体(２)のみを梱包するための梱包箱と殆ど同一のサイズに形成することが可能であり、梱包箱(７)の形状についても、本体(２)のみを梱包するための梱包箱と殆ど同一の形状(直方体状)に形成することが可能である。
これによって、複雑な構造の梱包箱を用いていた従来の梱包方法と比較して、梱包作業が簡易となり、然も梱包サイズの縮小によって輸送効率が大幅に向上することになる。
【００２３】
尚、本発明の各部構成は上記実施の形態に限らず、特許請求の範囲に記載の技術的範囲内で種々の変形が可能である。又、本発明は、テレビジョン受像機に限らず、本体とスタンドからなる種々の電子機器に実施することが出来る。
【符号の説明】
【００２４】
(１)  テレビジョン受像機
(２)  本体
(21)  フロントキャビネット
(22)  バックキャビネット
(23)  スタンド取り付け部
(24)  凹部
(３)  スタンド
(31)  ベース部
(32)  アーム部
(５)  ビス
(６)  緩衝材
(７)  梱包箱
【図１】
2013016964.tif 000003
【図２】
2013016964.tif 000004
【図３】
2013016964.tif 000005
【図４】
2013016964.tif 000006
【図５】
2013016964.tif 000007
【図６】
2013016964.tif 000008